(57)【要約】【課題】穀粒貯留タンク内の穀粒を、簡単な構成の穀粒移送排出筒装置で機外へ移送排出させると共に、簡単に収納位置でロックしようとするものである。【解決手段】穀粒貯留タンク６の貯留穀粒を、機外へ移送排出する下部移送筒９の上下方向所定位置で、折り畳み自在な上部移送筒１０を設けてなる穀粒移送排出筒装置８は、一方側の側方外側へ回動自在に設けると共に、上部移送筒１０を折り畳み状態にして、収納位置へ収納すると、ロックレバー１１ａでロックする構成である。【選択図】図１
2006230214.tif 000002
【特許請求の範囲】
【請求項１】
走行車台（２）の上側面へ載置して穀稈を脱穀する脱穀機（５）と、脱穀済み穀粒を受けて貯留する穀粒貯留タンク（６）と、該穀粒貯留タンク（６）の後側には、貯留穀粒を機外へ排出すると共に一方側の側方外側へ回動移動自在な穀粒移送排出筒装置（８）と、該穀粒移送排出筒装置（８）の下部移送筒（９）の上下方向所定位置で折り畳み自在な上部移送筒（１０）等とを設けたコンバインの穀粒排出装置において、前記穀粒移送排出筒装置（８）の上部移送筒（１０）を折り畳み状態に操作して、穀粒移送排出筒装置（８）を所定の収納位置へ回動移動操作の終了に伴いロックするロックレバー（１１ａ）を穀粒移送排出筒装置（８）の後方側へ設けたことを特徴とするコンバインの穀粒排出装置。
【請求項２】
前記穀粒移送排出筒装置（８）を収納位置、又は一方側の側方外側位置へ張出し回動移動操作する回動用ハンドル（８ａ）を、穀粒移送排出筒装置（８）の後側へ設けたことを特徴とする請求項１に記載のコンバインの穀粒排出装置。
【請求項３】
前記穀粒貯留タンク（６）の後内側部には、穀粒の収容量アップ用の突出部（６ｆ）を形成して設けると共に、該突出部（６ｆ）の横側部には、ロックレバー（１１ａ）と、回動用ハンドル（８ａ）とを設けたことを特徴とする請求項１、又は請求項２に記載のコンバインの穀粒排出装置。
【請求項４】
前記穀粒移送排出筒装置（８）の後方部に設けた脱穀済み排藁を後方へ移送する排藁移送装置（５ａ）の上側へ排藁カバー（５ｂ）を設け、穀粒を移送排出のときに操作する排出レバー（１７ｃ）と、穀粒移送排出筒装置（８）をロックするロックレバー（１１ａ）とを、後方へ向けて排藁カバー（５ｂ）の後方部へ組替え可能に装着して設けたことを特徴とする請求項１、又は請求項２、又は請求項３に記載のコンバインの穀粒排出装置。
【発明の詳細な説明】
【技術分野】
【０００１】
穀粒貯留タンク内の貯留穀粒を、機外へ移送排出する下部移送筒の上下方向所定位置で、折り畳み自在な上部移送筒を設けてなる穀粒移送排出筒装置は、一方側の側方外側へ回動自在に設けると共に、上部移送筒を折り畳み状態にして、穀粒移送排出筒装置を所定の収納位置へ回動移動操作の終了により、ロックレバーを操作して、ロック状態にする技術であり、コンバインの穀粒排出装置として利用できる。
【背景技術】
【０００２】
例えば、コンバインの立毛穀稈の収穫作業は、刈取りされて脱穀された脱穀済み穀粒は、走行車台の上側へ載置した貯留タンク内へ供給され、一時貯留される。
前記貯留タンク内へ貯留した穀粒を、機外への排出は、この貯留タンクの後側へ設けた穀粒移送オーガ装置で移送されて機外へ排出される。
【０００３】
前記貯留タンクは、実開昭６３−５３２３１号公報で示す如く、例えば、この貯留タンクを前方の運転席下部まで延長して、上側面へ運転席を装着して設けると共に、これら貯留タンクと、運転席とは、機外の外側方へ倒伏するように起倒自在に設けている。又、穀粒を機外へ排出するときは、穀粒貯留タンクの上側へ位置する穀粒移送オーガ装置は、油圧方式の回動用シリンダで回動傾斜移動制御されると共に、油圧方式の伸張用シリンダで伸張移動制御されて、所定の左右方向位置、及び所定の上下方向位置へ移動されて、穀粒は機外の所定位置へ排出される。
【特許文献１】実開昭６３−５３２３１号公報
【発明の開示】
【発明が解決しようとする課題】
【０００４】
穀粒を機外へ排出する穀粒移送排出オーガを所定の上下方向位置、及び所定の左右方向位置への移動は、油圧方向の伸張用シリンダと、回動用シリンダとにより、自動で調節移動制御されることにより、手動調節移動操作に対して大巾なコストアップであったり、又、穀粒移送排出オーガを収納位置へ操作のときには、穀粒貯留タンクと、運転席とを機外の外側へ倒す必要があったが、この発明により、これらの問題点を解決しようとするものである。
【課題を解決するための手段】
【０００５】
このために、この発明は、請求項１に記載の発明においては、走行車台（２）の上側面へ載置して穀稈を脱穀する脱穀機（５）と、脱穀済み穀粒を受けて貯留する穀粒貯留タンク（６）と、該穀粒貯留タンク（６）の後側には、貯留穀粒を機外へ排出すると共に一方側の側方外側へ回動移動自在な穀粒移送排出筒装置（８）と、該穀粒移送排出筒装置（８）の下部移送筒（９）の上下方向所定位置で折り畳み自在な上部移送筒（１０）等を設けたコンバインの穀粒排出装置において、前記穀粒移送排出筒装置（８）の上部移送筒（１０）を折り畳み状態に操作して、穀粒移送排出筒装置（８）を所定の収納位置へ回動移動操作の終了に伴いロックするロックレバー（１１ａ）を穀粒移送排出筒装置（８）の後方側へ設けたことを特徴とするコンバインの穀粒排出装置としたものである。
【０００６】
例えば、コンバインで立毛穀稈の収穫作業は、走行車台（２）の上側へ載置した脱穀機（５）へ刈取り穀稈の供給を受け、この脱穀機（５）内を挟持移送中に脱穀され、脱穀済み穀粒は、揚送されて、穀粒貯留タンク（６）内へ供給され、一時貯留される。
【０００７】
前記コンバインの穀粒貯留タンク（６）内へ貯留した穀粒を機外への排出作業を行うときには、この穀粒貯留タンク（６）の後側へ設けて、貯留穀粒を機外へ移送排出する穀粒移送排出筒装置（８）の下部移送筒（９）の上下方向所定位置で、折り畳み自在に設けた上側部の上部移送筒（１０）を略垂直状態へ調節操作し、この穀粒移送排出筒装置（８）の基部を回動中心として、例えば、右側外方外側へ回動移動操作し、上部移送筒（１０）の移送終端部の穀粒を機外へ排出する排穀口の高さ位置を、所定の高さ位置へ手動操作し、その後に上部移送筒（１０）へ設けた排穀口から穀粒を機外へ排出する。
【０００８】
又、穀粒の排出作業が終了して、前記穀粒移送排出筒装置（８）を収納位置へ収納操作するときは、上部移送筒（１０）を折り畳み状態に操作して、この上部移送筒（１０）が折り畳み状態で、穀粒貯留タンク（６）の上方部を回動通過移動操作して、この穀粒貯留タンク（６）上側から、脱穀機（５）の左右方向所定の収納位置へ収納させ、ロックレバー１１ａを回動操作して、ロック状態に固定する。
【０００９】
請求項２に記載の発明においては、前記穀粒移送排出筒装置（８）を収納位置、又は一方側の側方外側位置へ張出し回動移動操作する回動用ハンドル（８ａ）を、穀粒移送排出筒装置（８）の後側へ設けたことを特徴とする請求項１に記載のコンバインの穀粒排出装置としたものである。
【００１０】
前記穀粒移送排出筒装置（８）を収納状態位置へ回動移動操作するとき、又は一方側の側方外側位置の張出し状態へ回動移動操作するときは、この穀粒移送排出筒装置（８）の後側へ設けた回動用ハンドル（８ａ）を、作業者が把持して容易に回動移動操作ができるようにしている。
【００１１】
請求項３に記載の発明においては、前記穀粒貯留タンク（６）の後内側部には、穀粒の収容量アップ用の突出部（６ｆ）を形成して設けると共に、該突出部（６ｆ）の横側部には、ロックレバー（１１ａ）と、回動用ハンドル（８ａ）とを設けたことを特徴とする請求項１、又は請求項２に記載のコンバインの穀粒排出装置としたものである。
【００１２】
脱穀済み穀粒を貯留する前記穀粒貯留タンク（６）後内側部には、穀粒の収容量アップを図るために、突出部（６ｆ）を形成して設けている。この突出部（６ｆ）の横側には、穀粒移送排出筒装置（８）を所定位置へロック操作するロックレバー（１１ａ）と、所定位置へ回動操作する回動用ハンドル（８ａ）とを位置させて設け、操作性の向上を図っている。
【００１３】
請求項４に記載の発明においては、前記穀粒移送排出筒装置（８）の後方部に設けた脱穀済み排藁を後方へ移送する排藁移送装置（５ａ）の上側へ排藁カバー（５ｂ）を設け、穀粒を移送排出のときに操作する排出レバー（１７ｃ）と、穀粒移送排出筒装置（８）をロックするロックレバー（１１ａ）とを、後方へ向けて排藁カバー（５ｂ）の後方部へ組替え可能に装着して設けたことを特徴とする請求項１、又は請求項２、又は請求項３に記載のコンバインの穀粒排出装置としたものである。
【００１４】
前記脱穀機（５）で脱穀された脱穀済みの排藁は、この脱穀機（５）と、穀粒移送排出筒装置（８）とにわたって、後側へ設けた排藁移送装置（５ａ）で後方へ移送されて、排藁は処理される。この排藁移送装置（５ａ）の上側には、排藁カバー（５ｂ）を設けている。この排藁カバー（５ｂ）の後方部には、穀粒を穀粒移送排出筒装置（８）で機外へ移送排出のときに操作する排出レバー（１７ｃ）と、この穀粒移送排出筒装置（８）を所定位置へロックするロックレバー（１１ａ）とを組替え可能に設けて、機体の後方部より、操作可能に設けている。
【発明の効果】
【００１５】
請求項１に記載の発明においては、穀粒貯留タンク（６）内の貯留穀粒を機外へ移送排出する穀粒移送排出筒装置（８）の上部移送筒（１０）を折り畳み状態に操作して、この穀粒移送排出筒装置（８）を所定の収納位置へ回動移動操作の終了に伴い、ロックするロックレバー（１１ａ）を穀粒移送排出筒装置（８）の後方側へ設けたことにより、収納位置へ操作のときに、操縦席からの操作が防止できて、危険防止ができる。又、ロックレバー（１１ａ）でロックされることにより、移動することがなく安全である。
【００１６】
請求項２に記載の発明においては、前記穀粒移送排出筒装置（８）を所定の収納位置、又は一方側の側方外側位置へ張出し回動移動操作する回動用ハンドル（８ａ）を、穀粒移送排出筒装置（８）の後側へ設けたことにより、穀粒貯留タンク（６）の収容量の阻害になることがない。又、回動移動操作が容易である。
【００１７】
請求項３に記載の発明においては、前記穀粒貯留タンク（６）の後内側部には、穀粒の収容量アップ用の突出部（６ｆ）を設け、この突出部（６ｆ）の横側部には、ロックレバー（１１ａ）と、回動用ハンドル（８ａ）とを設けたことにより、構成がコンパクトとなり、コスト低減を図ることができる。又、操作性の向上を図ることができる。
【００１８】
請求項４に記載の発明においては、脱穀済み排藁を移送する排藁移送装置（５ａ）は、脱穀機（５）と、穀粒移送排出筒装置（８）との後側へ設け、この排藁移送装置（５ａ）の上側には、排藁カバー（５ｂ）を設け、この排藁カバー（５ｂ）の後方部へ組替え可能に排出レバー（１７ｃ）と、ロックレバー（１１ａ）を設けたことにより、側方部に比べて、穀粒移送排出筒装置（８）が無い場所へ立って、操作ができることにより、操作性が向上する。又、機体の最後方部であることにより、操作が安全である。
【発明を実施するための最良の形態】
【００１９】
以下、本発明の一実施例を図面に基づいて説明する。
コンバイン１の走行車台２の前方部には、立毛穀稈を刈取る刈取機４を設けると共に、上側面には、刈取り穀稈を脱穀する脱穀機５と、脱穀済みで選別済み穀粒を貯留する。穀粒貯留タンク６とを載置して設けた構成である。この貯留穀粒を機外へ排出する穀粒移送排出筒装置８を、穀粒貯留タンク６の後側へ設けて、一方側である右側の側方外側へ回動移動自在な構成である。穀粒移送排出筒装置８は、下部移送筒９の上側へ折り畳み自在な上部移送筒１０を設けた構成である。
【００２０】
前記穀粒移送排出筒装置８の上部移送筒１０を収納状態位置へ回動移動操作するときには、この上部移送筒１０を折り畳み状態へ操作した後に、所定の最終収納位置へ回動移動操作する。回動移動操作終了後に、穀粒移送排出筒装置８の後側へ設けたロックレバー１１ａの操作により、この穀粒移送排出筒装置８をロック状態にして、固定する構成である。上部移送筒１０の先端部の移送終端部には、移送穀粒を機外へ排出する排穀口１２ａを有する排出筒１２を設けた構成である。これら穀粒移送排出筒装置８の上部移送筒１０と、下部移送筒９等とを主に図示して説明する。
【００２１】
前記コンバイン１の走行車台２の下側には、図６で示す如く土壌面を走行する左右一対の走行クローラ３ａを張設した走行装置３を配設し、走行車台２の上側面には、脱穀機５を載置した構成である。走行車台２の前方部の刈取機４で立毛穀稈を刈取りし、この刈取り穀稈は、この刈取機４で後方上部へ移送され、脱穀機５のフィードチェン７ａと、挟持杆７ｂとで引継ぎされて、挟持移送されながら脱穀される。脱穀済みで選別済み穀粒は、揚穀筒２４で揚送されて、脱穀機５の右横側に配設し、前後方向へタンク移送螺旋６ａを底部へ軸支内装した。穀粒貯留タンク６内へ供給されて、一時貯留される。
【００２２】
前記走行車台２の前方部には、図６で示す如く前端位置から立毛穀稈を分離するナローガイド１３ａ、及び各分草体１３ｂと、立毛穀稈を引起す各引起装置１３ｃと、引起された穀稈を掻込みする穀稈掻込移送装置１４の各掻込装置１４ａと、掻込された穀稈を刈取る刈刃装置１３ｄと、刈取りされた穀稈を挟持移送して、脱穀機５のフィードチェン７ａと、挟持杆７ｂとへ受渡しする穀稈掻込移送装置１３の根元・穂先移送装置１４ｂ・１４ｃ等からなる刈取機４を設けている。該刈取機４は、油圧駆動による伸縮シリンダ１５により、土壌面に対して、昇降自在に移動する構成である。
【００２３】
前記刈取機４の前方下部から後方上部へ傾斜する支持杆１６ａの上端部には、左右方向に支持パイプ杆１６ｂを設け、この支持パイプ杆１６ｂを走行車台２の上側面に設けた支持装置１６ｃで回動自在に支持させて、伸縮シリンダ１５の作動により、刈取機４は支持パイプ杆１６ｂを回動中心として、上下に回動する構成である。
【００２４】
前記刈取機４の穀稈掻込移送装置１４によって形成される穀稈移送経路中には、刈取られて移送される穀稈に接触作用することにより、脱穀機５へ穀稈の供給の有無を検出する穀稈センサ４ａを設けた構成である。
【００２５】
前記穀粒貯留タンク６側の前部には、図６で示す如くコンバイン１を始動、停止、及び各部を調節等の操作を行う制御装置１７ａと、これら操作を行う作業者が搭乗する操縦席１７ｂとを設け、この操縦席１７ｂの下側で、走行車台２の上側面には、エンジン１８を載置すると共に、後方部には、穀粒貯留タンク６を配設する。これら走行装置３と、刈取機４と、脱穀機５と、エンジン１８等により、コンバイン１の機体１ａを形成した構成である。
【００２６】
前記走行車台２の前端部に装架した走行用のミッションケース１９内の伝動機構１９ａの伝動経路中には、その出力に基づいて、走行車速を検出するポテンションメータ方式の車速センサ１９ｂを設けた構成である。
【００２７】
前記穀粒貯留タンク６内へ貯留した貯留穀粒を機外へ排出する。この穀粒貯留タンク６の後側には、図１〜図４、及び図６で示す如くこの穀粒貯留タンク６内の前後方向へ軸支内装したタンク移送螺旋６ａの移送終端側の後端部を軸支する後支持メタル６ｃは、穀粒貯留タンク６の後側板６ｂの外側面へ装着して設けた構成である。前端部は前側板６ｄへ設けた前支持メタル６ｅで軸支した構成である。
【００２８】
前記後支持メタル６ｃには、図１〜図４、及び図６で示す如く下部移送螺旋９ａを回転自在に軸支内装した下部移送筒９と、上部移送螺旋１０ａを回転自在に軸支内装した上部移送筒１０とよりなる穀粒移送排出筒装置８を設け、この下部移送筒９の基部である。下端へ装着した下部回動メタル９ｂを、回動中心（ロ）として、回動自在に装着して設けた構成である。これら下部回動メタル９ｂと、下部・上部移送筒９，１０よりなる穀粒移送排出筒装置８とは、一体で、例えば、コンバイン１の機体１ａの右側方外側へ回動移動自在な構成であり、手動操作により、回動移動する構成である。
【００２９】
前記穀粒移送排出筒装置８の上部移送筒１０の移送終端部側には、図２で示す如く開口部１０ｃを設け、この開口部１０ｂで、上部移送筒１０の外径部には、移送されて来る穀粒を、機外へ排出する排穀口１２ａを下部へ設けた排出筒１２を固着、又はボルト、及びナット等により、装着して設けた構成である。
【００３０】
前記穀粒移送排出筒装置８は、上下方向所定位置で二分割した構成であり、この分割位置は、この穀粒移送排出筒装置８の上下方向略中間位置（イ）として、上部移送筒１０を折り畳みする構成である。下部移送筒９の移送終端の上端部と、上部移送筒１０の移送始端の下端部との位置で、この上部移送筒１０を折り畳みする構成である。これら下部・上部移送筒９，１０を係合状態、又はこの下部移送筒９に対して、上部移送筒１０を折り畳み状態にする係合具９ｄを両者に設け、これら各係合具９ｄには、各突出部９ｅを設けて、この各突出部９ｅを回動自在に軸支する支持軸１０ｃを挿入して設け、これら上側の係合具９ｄと、支持軸１０ｃとにより、上部移送筒１０を折り畳み自在に操作できる構成である。又、この係合具９ｄは、上部移送筒１０が係合状態のときには、ロック状態になる構成である。折り畳みのときには、ロック解除になる構成である。
【００３１】
前記穀粒移送排出筒装置８の下部・上部移送筒９，１０へ軸支内装した上部・下部移送螺旋９ａ，１０ａの係合部には、各クラッチ爪（図示せず）設けて、上部移送筒１０を折り畳み時に、噛合、及び離脱を容易にした構成である。
【００３２】
前記穀粒移送排出筒装置８により、穀粒貯留タンク６内の穀粒の排出作業が終了して、上部移送筒１０を図２で示す如く下部移送筒９に対して、収納状態に折り畳み状態に手動操作して、穀粒移送排出筒装置８の上部移送筒１０を、収納状態位置へ操作することにより、穀粒移送排出筒装置８の下部移送筒９は、順次垂直の起立状態になると共に、上部移送筒１０は、穀粒貯留タンク６の上方部を通過して、順次最終収納状態位置の脱穀機５の上側へ移動する構成である。
【００３３】
前記穀粒貯留タンク６内の貯留穀粒を機外へ移送排出する穀粒移送排出筒装置８の下部移送筒９上側の折り畳み自在な上部移送筒１０を、収納状態位置へ操作するときは、この上部移送筒１０を折り畳み状態にして、回動移動操作すると、穀粒貯留タンク６の上方部を通過して、順次最終収納状態位置の高さ位置の脱穀機５の上側へ移動することにより、上部移送筒１０は、折り畳み状態で、収納されることにより、安全に収納することができる構成である。
【００３４】
前記穀粒移送排出筒装置８の上部移送筒１０を折り畳み状態に操作して、この上部移送筒１０を所定の最終収納位置へ回動移動操作し、回動移動の操作が終了すると、走行車台２の上側面、又、脱穀機５と、穀粒移送排出筒装置８との後側へ設けた、脱穀済み排藁を移送する排藁移送装置５ａの前側面等で、穀粒移送排出筒装置８の後側へ図１で示す如くロック装置１１を設けた構成である。このロック装置１１へ回動自在に設けたロックレバー１１ａを回動操作して、穀粒移送排出筒装置８の下部移送筒９の外周部へ後方へ向けて、略Ｌ字形状の支持杆１１ｂを固着して設け、この支持杆１１ｂへ係合状態にして、穀粒移送排出筒装置８を所定の最終の収納位置、又は左右へ回動移動の任意位置で固定状態にする構成である。上部移送筒１０の折り畳み支点となる支持軸１０ｃの位置は、機体１ａの前方部側へ設けた構成である。
【００３５】
前記穀粒移送排出筒装置８の上部移送筒１０を折り畳み状態に操作して、この穀粒移送排出筒装置８を所定の最終収納位置へ回動移動操作し、終了に基づいて、この穀粒移送排出筒装置８を収納位置へロックするロックレバー１１ａの操作により、ロック状態になり、固定する構成としたことにより、収納状態でのロック状態の解除操作は、このロックレバー１１ａは、穀粒移送排出筒装置８の後側へ設けたことにより、操縦席１７ｂから作業者により、ロック、及びロック解除の操作ができなく、このために操作が防止できて、危険防止ができる。又、ロックレバー１１ａの操作により、ロックされて固定されることにより、穀粒移送排出筒装置８は、移動することがなくなり、安全である。回動支点位置が機体１ａの後方側としたことにより、構成が簡単である。
【００３６】
前記穀粒移送排出筒装置８を収納状態位置、又は右側の側方外側位置へ引出し回動、及び上下方向へ回動移動操作するときに把持して操作する回動用ハンドル８ａは、図１で示す如く穀粒移送排出筒装置８の下部移送筒９の外周部の後側へ後方へ向けて、突出させて設けた構成である。
【００３７】
前記穀粒移送排出筒装置８を回動移動操作するときに、把持して操作する回動用ハンドル８ａは、穀粒移送排出筒装置８の下部移送筒９の外周部の後側へ後方へ向けて、突出させて設けたことにより、穀粒貯留タンク６の収容量のアップの阻害になることを防止できる。
【００３８】
前記穀粒貯留タンク６は、図１で示す如くこの穀粒貯留タンク６内へ収容される穀粒の収容量アップを図るために、後内側部には、後方部へ突出させた突出部６ｆを形成して設けた構成である。この穀粒貯留タンク６は、樹脂材等により、突出部６ｆも一体に形成して設けた構成である。
【００３９】
前記穀粒貯留タンク６本体側の後側で、突出部６ｆの横側には、図１で示す如く穀粒移送排出筒装置８と、ロックレバー１１ａと、回動用ハンドル８ａ等とを設けた構成である。
【００４０】
前記穀粒貯留タンク６の後内側部には、穀粒の収容量アップ用の突出部６ｆを設け、この突出部６ｆの横側には、穀粒移送排出筒装置８と、ロックレバー１１ａと、回動用ハンドル８ａ等とを設けたことにより、これら構成のコンパクト化を図ることができる。又、操作性の向上を図ることができる。更に、穀粒貯留タンク６の収容量のアップを図ることができる。
【００４１】
前記脱穀機５と、穀粒移送排出筒装置８との後方部にわたって、図１で示す如くこの脱穀機５で脱穀した脱穀済みの排藁を後方へ移送して、カッタ装置、又は結束装置等（共に図示せず）へ供給して、排藁の後処理すべく排藁移送装置５ａを設けた構成である。この排藁移送装置５ａの上側には、排藁カバー５ｂを設けた構成である。
【００４２】
前記穀粒移送排出筒装置８で貯留穀粒を機外へ移送排出を、「開始」、又は「停止」するときに操作する。通常は、操作装置１７ａへ設けた排出レバー１７ｃを、図１で示す如く排藁カバー５ｂの後端部へ後方へ向けて、取替え可能に設けた構成とすると共に、穀粒移送排出筒装置８の後部へ設けたロック装置１１のロックレバー１１ａで「ロック」、又は「ロック解除」するときに操作する。このロックレバー１１ａを排藁カバー５ｂの後端部へ後方へ向けて、取替え可能に設けた構成である。
【００４３】
脱穀済み排藁を後方部へ移送する前記排藁移送装置５ａの上側に設けた排藁カバー５ｂの後端部へ後方へ向けて、排出レバー１７ｃと、ロックレバー１１ａとを取替え可能に設けたことにより、側方側へこれらを設けたときに比べて、穀粒移送排出筒装置８が無い場所へ立って、各種操作作業を行うことができることにより、作業性の向上を図ることができる。
【００４４】
前記穀粒移送排出筒装置８の上部移送筒１０を折り畳み状態に操作して、詳細後述する支持装置２５で支持させた時には、図７で示す如く上部移送筒１０の先端部へ装着した排出筒１２の前端下部は、下部移送筒９の上端部より、所定寸法（Ｈ１）下部位置へ位置させて設けた構成である。
【００４５】
これにより、折り畳み部のコンパクト化が可能である。又、折り畳み部よりの穀粒のもれを防止することができる。
前記穀粒移送排出筒装置８の下部移送筒９の下部回動メタル９ｂを回動中心（ロ）として、右側の側方側外側の最低傾斜位置へ操作して、最低傾斜位置へロック装置１１のロックレバー１１ａの操作により、固定する構成である。この最低高さ傾斜位置は、水平より、所定高さ高い位置で固定する構成である。
【００４６】
又、後述するブレーキ装置２０による負荷と、ロックレバー１１ａの操作との両者により、更に、所定の任意位置で固定する構成である。
前記穀粒貯留タンク６の後側の後支持メタル６ｃと、穀粒移送排出筒装置８の下部移送筒９の下部回動メタル９ｂとには、図５で示す如くブレーキ装置２０を設けた構成である。
【００４７】
前記ブレーキ装置２０は、図５で示す如く後支持メタル６ｃの外周部へ取付板２１ａを固着して設け、この取付板２１ａには、支持ピン２１ｂを固着して設けた構成である。
又、前記下部回動メタル９ｂには、図５で示す如く長孔２２ｂを設けた回動板２２ａを装着して設け、この回動板２２ａの長孔２２ｂ部を、取付板２１ａの支持ピン２１ｂへ挿入し、回動板２２ａの外側面で、支持ピン２１ｂには、複数個のブレーキ板２３ａを挿入すると共に、この各ブレーキ板２３ａの外側で、支持ピン２１ｂには、各ナット２３ｂを螺挿入した構成である。この各ナット２３ｂの螺挿入位置により、ブレーキ力の調節ができる構成である。
【００４８】
前記穀粒移送排出筒装置８は、右側方外側の所定高さ位置へ回動移動操作しても、ブレーキ装置２０によって、穀粒移送排出筒装置８は、所定の調節位置で保持される構成である。又、更に、ロック位置１１のロックレバー１１ａにより、固定することにより、更に、所定位置で確実に支持することができる。このブレーキ装置２０は、穀粒移送排出筒装置８を収納状態へ操作したときでも、操作できる構成であり、ブレーキを負荷させて、振動低減を図った構成である。
【００４９】
前記支持装置２５は、図８、及び図９で示す如く揚穀筒２４の上端部に略Ｌ字形状の主柱２５ａをボルト等により、装着して設けた構成である。この主柱２５ａの上端部には、横方向のコ字形状の受板２５ｂを固着して設けた構成である。この受具２５ｂの開口部２５ｃより、上部移送筒１０を挿入して支持する構成である。
【００５０】
これにより、前記上部移送筒１０の上下方向の振動を防止することができる。
前記穀粒移送排出筒装置８の上部移送筒１０の移送始端部へ設けた係合具９ｄと、下部移送筒９の移送終端部へ設けた係合部９ｄとの接合部より、上部移送筒１０を折り畳み操作したときに、上部移送筒１０の係合部９ｄが当接して、所定位置で停止させる保持ストッパー９ｆを、図１０で示す如く下部移送筒９へ装着した係合部９ｄの突出部６ｆの下側部へ設けた構成である。
【００５１】
更に、図１０で示す如く前記上部移送筒１０を折り畳み状態へ操作したときは、上部・下部移送筒１０，９の外径へ設けた支持板２６ｂ，２６ａ間へ支持杆２６ｃを挿入して、支持させる構成であり、折り畳みした上部移送筒１０の戻りを防止した構成である。更に、支持板２６ａの挿入部を回動中心とした構成である。直線状態へ操作したときには、下部移送筒９へ設けた上下の支持板２６ａ，２６ａ間へ差し替え挿入して、収納状態にする構成である。
【００５２】
前記下部移送筒９の上部の外径部には、図１０で示す如くコ字形状の保持板２７ａを設け、この保持板２７ａには、略Ｌ字形状の保持杆２７ｂを設け、この保持杆２７ｂの一方側（挿入側）の下部には、ナット２７ｃを螺挿入した構成である。他方部で上部移送筒１０を直線状態に操作した時には、この上部移送筒１０の係合部９ｄを押え付けて、保持する構成である。
【００５３】
これにより、強度確保、及びコストダウンを図ることができる。又、コンパクト化を図ることができる。前記上部移送筒１０の折り畳みの戻りを防止することができる。
前記穀粒移送排出筒装置８の下部移送筒９の下側へ設けた下部回動メタル９ｂの後側には、図１２で示す如く後方へ突出する突出ボス９ｈを設け、この突出ボス９ｈには、左右方向の長孔９ｊを設けた構成である。
【００５４】
前記走行車台２の後端部には、図１２で示す如く略Ｌ字形状の支持板２ａを固着して設け、この支持板２ａには、略Ｌ字形状の上支持板２ｂを、ボルト、及びナット等により、装着して設けた構成である。又、受軸２８ｂを受板２８ａへ固着して設け、この受板２８ａを上支持板２ｂへボルト、及びナット等により、装着して設けた構成である。更に、この受板２８ａへ設けた受軸２８ｂを、下部回動メタル９ｂの突出ボス９ｈの長孔９ｊ部へ挿入し、この受軸２８ｂにより、穀粒移送排出筒装置８が後方への倒れを防止した構成である。
【００５５】
これにより、前記穀粒移送排出筒装置８の後方への倒れを防止して、破損の防止を図った。
前記穀粒移送排出筒装置８へ設けた排出レバー１７ｃ用のワイヤ１７ｄは、図１３で示す如く上部移送筒１０を折り畳みする折り畳み支点の支持軸１０ｃの近傍部へ配設した構成である。
【００５６】
これにより、前記上部移送筒１０を折り畳み操作の時に邪魔になることを防止できる。
前記穀粒移送排出筒装置８の上部移送筒１０の移送終端部に設けた排出筒１２の排穀口１２ａ部には、図１５で示す如く補助漏斗２９ａを、ボルト、及びナット等により、装着して設け、この補助漏斗２９の下端部には、シュータ２９ｂを設け、このシュータ２９ｂの下端部には、補助排出筒２９ｃを設けた構成である。
【００５７】
前記上部移送筒１０の内径（Ｄ１）は、シュータ２９ｂの内径（Ｄ２）より、所定寸法小径（Ｄ１）＜（Ｄ２）に形成して設けた構成である。
これにより、前記シュータ２９ｂ部には、移送螺旋等を設けていないことにより、同径、又は小径にすると詰まりが発生することにより、これを防止する。
【００５８】
前記排出筒１２の下端部には、図１６で示す如く球形状の下部排出筒部１２ｂを設け、この下部排出筒部１２ｂには、前後に２分割すると共に、外形形状を略へ字形状に形成した補助漏斗２９ｄを、排出筒１２の球形状の下部排出筒部１２ｂの外径部へ装着して、回動自在に設けた構成である。
【００５９】
又、前記補助漏斗２９ｄには、シュータ２９ｂを装着し、このシュータ２９ｂには、補助排出筒２９ｃを装着した構成である。
これにより、穀粒排出時に排出位置変更を容易に行うことができる。
【００６０】
前記穀粒移送排出筒装置８の上部移送筒１０の先端部へ設けた排出筒１２の下端部には、図１４で示す如く補助漏斗３０ａをボルト、及びナット等により、装着して設け、この補助漏斗３０ａの下端部には、樹脂材、又はゴム材等よりなる伸縮自在で、フレキシブ方式なシュータ３０ｂを設けた構成である。
【００６１】
これにより、前記シュータ３０ｂをフレキシブ方式な構成としたことにより、穀粒の排出位置の変更が容易である。又、トラック等の隅部へも容易に排出できる。
図１７で示す如く前記穀粒移送排出筒装置８の上部移送筒１０の移送終端部には、排出筒１２を設け、この排出筒１２の下側には、補助漏斗２９ａと、シュータ２９ｂと、補助排出筒２９ｃとを上部より、順次設けると共に、排出筒１２の一方側の外側面には、穀粒の排出を開始、及び停止のときに操作する排出レバー１７ｃを設け、この排出レバー１７ｃの「入」−「切」操作により、「ＯＮ」−「ＯＦＦ」する排出レバー用スイッチ３１を設けた構成である。補助排出筒２９ｃには、排出される穀粒を受ける穀粒受袋２９ｅを設けることができる構成である。
【００６２】
前記排出レバー１７ｃが「入」操作され、排出用スイッチ３１が「ＯＮ」されると、この「ＯＮ」が、図６で示す如く操作装置１７ａへ内装した制御装置１７ｅへ入力され、この入力に基づいて、内装したタイマ１７ｆが、この制御装置１７ｅにより、「ＯＮ」制御され、この制御装置１７ｅへ設定記憶させた、所定時間がタイマ１７ｆで経過されると、エンジン１８の回転数が、制御装置１７ｅへ設定して記憶させた、所定の低回転数に変更制御される構成である。所定時間とは、穀粒受袋２９ｅが穀粒で略満量状態に達する時間を設定記憶させた構成である。
【００６３】
又、トラック等へ直接穀粒を排出するときは、前記操作装置１７ａの表面板へ設けた時間設定用のダイヤル１７ｈを操作して設定することもできる構成である。このときは、ダイヤル１７ｈによる設定時間が優先される構成である。更に、タイマ１７ｆへ設定記憶させた時間を、ダイヤル１７ｈで変更可能な構成である。
【００６４】
これにより、トラックへ排出、又は穀粒受袋２９ｅへ排出いずれにでも、排出が、容易に可能である。又、個人差や、穀粒受袋２９ｅの大きさ別に対して、対応が容易にできる。更に、この穀粒受袋２９ｅへ満量を入れやすくすることができる。
【図面の簡単な説明】
【００６５】
【図１】穀粒移送排出筒装置のロック装置部の拡大平面図
【図２】穀粒移送排出筒装置部の拡大正面図
【図３】穀粒移送排出筒装置部の拡大平面図
【図４】穀粒移送排出筒装置部の拡大背面図
【図５】ブレーキ装置部の拡大側面斜視図
【図６】コンバインの左側部の全体側面図
【図７】穀粒移送排出筒装置部の拡大側面図
【図８】穀粒移送排出筒装置の支持装置部の拡大側面図
【図９】支持装置部の拡大正面図
【図１０】穀粒移送排出筒装置部の拡大正面図
【図１１】支持杆部の拡大平面図
【図１２】穀粒移送排出筒装置の下部回動メタル部の一部断面した拡大側面図
【図１３】穀粒移送排出筒装置の一部断面したワイヤ配設部の拡大正面図
【図１４】穀粒移送排出筒装置のシュータ部の拡大正面図
【図１５】他の実施例を示す図で、穀粒移送排出筒装置部の一部断面した拡大正面図
【図１６】他の実施例を示す図で、シュータ部を一部断面した拡大正面図
【図１７】他の実施例を示す図で、穀粒移送排出筒装置部の拡大正面図
【符号の説明】
【００６６】
２      走行車台
５      脱穀機
５ａ    排藁移送装置
５ｂ    排藁カバー
６      穀粒貯留タンク
６ｆ    突出部
８      穀粒移送排出筒装置
８ａ    回動ハンドル
９      下部移送筒
１０    上部移送筒
１１ａ  ロックレバー
１７ａ  排出レバー
【図１】
2006230214.tif 000003
【図２】
2006230214.tif 000004
【図３】
2006230214.tif 000005
【図４】
2006230214.tif 000006
【図５】
2006230214.tif 000007
【図６】
2006230214.tif 000008
【図７】
2006230214.tif 000009
【図８】
2006230214.tif 000010
【図９】
2006230214.tif 000011
【図１０】
2006230214.tif 000012
【図１１】
2006230214.tif 000013
【図１２】
2006230214.tif 000014
【図１３】
2006230214.tif 000015
【図１４】
2006230214.tif 000016
【図１５】
2006230214.tif 000017
【図１６】
2006230214.tif 000018
【図１７】
2006230214.tif 000019